(57)【要約】【課題】廃ＦＲＰ船の解体品の中から選別されたＦＲＰ品及び発泡品は破砕機により破砕され、この破砕物から発泡品が吸引除去され、破砕物中のＦＲＰ品に油が添加され、ＦＲＰ品と油との混合物をセメント製造用燃料に用いることになり、ＦＲＰ品に油が混合したことによりＦＲＰ粉塵の飛散がなくなり、燃料としての取り扱いが容易となり、かつ、油と混合したことにより燃料としての熱量を向上することができると共に混合割合の設定により熱量調節を行うことができ、セメント製造の作業性を高めることができる。【解決手段】廃ＦＲＰ船の解体品の中から選別されたＦＲＰ品Ｍ及び発泡品Ｈを破砕する破砕機１と、破砕機で破砕された破砕物を粒度選別する選別機３と、選別機で選別された発泡品を吸引除去する吸引装置４と、選別機で選別されたＦＲＰ品に油を所定の混合割合添加する油添加装置６と、ＦＲＰ品と油とを混合してセメント製造用燃料に用いられるＦＲＰ品と油との混合物を製造する混練機５とを備えてなる。【選択図】        図１
2004168820.tif 000002
【特許請求の範囲】
【請求項１】
廃ＦＲＰ船の解体品の中から選別されたＦＲＰ品及び発泡品を破砕する破砕機と、該破砕機で破砕された破砕物を粒度選別する選別機と、該選別機で選別された発泡品を吸引除去する吸引装置と、該選別機で選別されたＦＲＰ品に油を所定の混合割合添加する油添加装置と、該ＦＲＰ品と該油とを混合してセメント製造用燃料に用いられるＦＲＰ品と油との混合物を製造する混練機とを備えてなることを特徴とする廃ＦＲＰ船リサイクル設備。
【請求項２】
上記破砕機内の粉塵及び上記破砕機で破砕された破砕物に含まれる粉塵を濾過すると共に濾過されたＦＲＰ品を上記混練機内に送入する集塵機を備えてなることを特徴とする請求項１記載の廃ＦＲＰ船リサイクル設備。
【請求項３】
上記選別機から上記混練機に送られてくるＦＲＰ品の給送量に応じて上記油添加装置からの油の添加量を制御する制御部を備えてなることを特徴とする請求項１又は２項に記載の廃ＦＲＰ船リサイクル設備。
【請求項４】
上記混練機は上記ＦＲＰ品と油との混合物を投入口部から排出口部へと混練移送するスクリュウ体を備えてなることを特徴とする請求項１〜３のいずれか１項に記載の廃ＦＲＰ船リサイクル設備。
【請求項５】
上記集塵機はバグフィルタからなることを特徴とする請求項１〜４のいずれか１項に記載の廃ＦＲＰ船リサイクル設備。
【発明の詳細な説明】
【０００１】
【発明の属する技術分野】
本発明は、例えばＦＲＰ（繊維強化プラスチック）を主体とする廃ボート等の廃ＦＲＰ船を用いて、セメント製造時の燃料として再利用するためのセメント製造用燃料を製造する際に用いられる廃ＦＲＰ船リサイクル設備に関するものである。
【０００２】
【従来の技術】
近年、この種のＦＲＰ船は釣り愛好家等の需要者の増加傾向により使用台数が増えている反面、使用に耐えられない船が河川、海岸に不法係留され、廃船として放置されていることがあり、美観の低下や環境汚染をもたらすため、これら放置された廃船の対策が急がれている。一方、セメント製造時の燃料として、石炭や、重油（主に廃重油）、微粉炭、廃ＦＲＰを含む廃プラスチック、助燃焼材が用いられている。
【０００３】
【発明が解決しようとする課題】
しかしながらこれらセメント製造時の燃料として使用されている廃ＦＲＰに含まれる繊維分や樹脂分が粉塵となって飛散し易く、燃料としての取り扱いが厄介であるという不都合を有している。
【０００４】
【課題を解決するための手段】
本発明はこれらの課題を解決することを目的とし、本発明のうちで、請求項１記載の発明は、廃ＦＲＰ船の解体品の中から選別されたＦＲＰ品及び発泡品を破砕する破砕機と、該破砕機で破砕された破砕物を粒度選別する選別機と、該選別機で選別された発泡品を吸引除去する吸引装置と、該選別機で選別されたＦＲＰ品に油を所定の混合割合添加する油添加装置と、該ＦＲＰ品と該油とを混合してセメント製造用燃料に用いられるＦＲＰ品と油との混合物を製造する混練機とを備えてなることを特徴とする廃ＦＲＰ船リサイクル設備にある。
【０００５】
又、請求項２記載の発明は、上記破砕機内の粉塵及び上記破砕機で破砕された破砕物に含まれる粉塵を濾過すると共に濾過されたＦＲＰ品を上記混練機内に送入する集塵機を備えてなることを特徴とするものであり、又、請求項３記載の発明は、上記選別機から上記混練機に送られてくるＦＲＰ品の給送量に応じて上記油添加装置からの油の添加量を制御する制御部を備えてなることを特徴とするものであり、又、請求項４記載の発明は、上記混練機は上記ＦＲＰ品と油との混合物を投入口部から排出口部へと混練移送するスクリュウ体を備えてなることを特徴とするものであり、又、請求項５記載の発明は、上記集塵機はバグフィルタからなることを特徴とするものである。
【０００６】
【発明の実施の形態】
図１乃至図５は本発明の実施の形態例を示し、大別して、破砕機１、搬送コンベヤ２、選別機３、吸引装置４、混練機５、油添加装置６、集塵機７から成り立っている。
【０００７】
この場合、、クラッシャ、その他の重機により解体された廃ＦＲＰ船の解体品Ｗの中から例えば人為的に金属類、木材等を取り除いてＦＲＰ品Ｍ及び発泡ウレタン等の発泡品Ｈを取捨選別し、この選別されたＦＲＰ品Ｍ及び発泡品Ｈを上記破砕機１の投入ホッパー１ａに投入し、このＦＲＰ品Ｍ及び発泡品Ｈを破砕し、排出口１ｂから破砕されたＦＲＰ品Ｍ及び発泡品Ｈからなる破砕物Ｓを落下排出するように構成している。
【０００８】
又、この場合、搬送コンベヤ２はベルト式コンベヤが採用され、上記破砕機１から排出されてくる破砕物Ｓを選別機３へと搬送するように構成されている。
【０００９】
又、上記選別機３は、この場合、図５の如く、ケーシング３ａ内に篩板３ｂが設けられ、ケーシング３ａを図示省略の振動機構により振動させ、上記搬送コンベヤ２により投入口３ｃから投入されてくる破砕物Ｓを篩って粒度選別し、篩板３ｂを通過しない粒度の大きなＦＲＰ品Ｍ１及び篩板３ｂを通過した粒度の小さなＦＲＰ品Ｍ２は排出口３ｄから移送排出するように構成している。
【００１０】
又、この場合、上記吸引装置４はサイクロン構造が採用され、上記選別機３により移送されている篩板３ｂを通過しなかった軽量の発泡品Ｈを吸引口３ｅから吸引除去するように構成され、吸引装置４の排出口４ａから排出される発泡品Ｈは運搬機Ｋにより他の処理設備に搬送される。
【００１１】
又、この場合、油添加装置６は、上記選別機３で選別されたＦＲＰ品Ｍに油タンク６ａから吐出ポンプ６ｂによって油Ｂ（主に重油、廃重油、再生油など）を所定の混合割合でノズル部５ｅから添加するように構成され、又、上記混練機５は、ケーシング５ａ内に上記ＦＲＰ品Ｍ１・Ｍ２からなるＦＲＰ品Ｍと油Ｂとの混合物Ｌを投入口部５ｂから排出口部５ｃへと混練移送するスクリュウ体５ｄが駆動回転自在に内装され、しかして、混練機５の投入口５ｂに選別機３からの上記ＦＲＰ品Ｍ１・Ｍ２が投入され、セメント製造用燃料に用いられるＦＲＰ品Ｍと油Ｂとの混合物Ｌを製造するように構成している。
【００１２】
この場合、選別機３から上記混練機５に送られてくるＦＲＰ品Ｍの給送量を検出し、この給送量に応じて上記油添加装置６からの油Ｂの添加量を制御する制御部６ｃを設けている。
【００１３】
このＦＲＰ品Ｍと油Ｂとの混合割合としては、例えば、ＦＲＰ品７５〜９５重量％：油２５〜５重量％程度が望ましい。経済性及び取扱性を考慮したものである。
【００１４】
又、上記集塵機７は、この場合、バグフィルタが用いられ、ガラス繊維等の濾布により粉塵を濾過する構造となっており、この場合、上記破砕機１内の粉塵Ｆ及び上記破砕機１で破砕された破砕物Ｓに含まれる粉塵Ｆを吸引して濾過すると共に濾過された粉塵状のＦＲＰ品Ｍ３を混練機５内に送入するように構成されている。
【００１５】
この実施の形態例は上記構成であるから、クラッシャ、その他の重機により解体された廃ＦＲＰ船の解体品の中から、金属類、木材等を取り除いて、ＦＲＰ品Ｍ及び発泡ウレタン等の発泡品Ｈを取捨選別し、これらＦＲＰ品Ｍ及び発泡品Ｈを人為的又は自動的に破砕機１に投入して破砕し、この破砕機で破砕された破砕物Ｓは選別機３により粒度選別され、この選別機３で選別された発泡品Ｈは吸引装置４により吸引除去され、この発泡品Ｈは運搬機Ｋにより排出され、一方、選別機３からのＦＲＰ品Ｍ１・Ｍ２・Ｍ３からなるＦＲＰ品Ｍは混練機５内に投入されると共に油添加装置６から油Ｂが所定の混合割合で添加され、このＦＲＰ品Ｍと油Ｂとが混合され、混練機５によりＦＲＰ品Ｍと油Ｂとの混合物Ｌが製造され、この混合物Ｌをセメント製造用燃料に用いることになる。
【００１６】
従って、廃ＦＲＰ船の解体品の中から選別されたＦＲＰ品Ｍ及び発泡品Ｈは破砕機１により破砕され、この破砕物Ｓから発泡品Ｈが除去され、破砕物中のＦＲＰ品Ｍに油Ｂが添加され、ＦＲＰ品Ｍと油Ｂとの混合物Ｌをセメント製造用燃料に用いることになり、このため、ＦＲＰ品Ｍに油Ｂが混合したことにより粉塵の飛散がなくなり、燃料としての取り扱いが容易となり、かつ、油Ｂと混合したことにより燃料としての熱量を向上することができると共に混合割合の設定により熱量調節を行うことができ、セメント製造の作業性を高めることができる。
【００１７】
この場合、上記破砕機１内の粉塵Ｆ及び上記破砕機１で破砕された破砕物Ｓに含まれる粉塵Ｆを濾過すると共に濾過されたＦＲＰ品Ｍ３を上記混練機５内に送入する集塵機７を備えてなるから、粉塵Ｆの外方飛散を防ぐことができると共に粉塵Ｆ中のＦＲＰ品Ｍ３を回収することができ、又、この場合、上記選別機３から上記混練機５に送られてくるＦＲＰ品Ｍの給送量に応じて上記油添加装置６からの油Ｂの添加量を制御する制御部６ｃを備えてなるから、ＦＲＰ品Ｍと油Ｂとの混合割合を一定に保持することができ、それだけ熱量を一定に保持することができ、使用の利便性を高めることができる。
【００１８】
又、この場合、上記混練機５は上記ＦＲＰ品Ｍと油Ｂとの混合物Ｌを投入口部５ｂから排出口部５ｃへと混練移送するスクリュウ体５ｄを備えてなるから、ＦＲＰ品Ｍと油Ｂとを満遍なく良好に混合することができ、又、この場合、上記集塵機７はバグフィルタからなるので、粉塵中からＦＲＰ品Ｍ３を良好に濾過回収することができる。
【００１９】
尚、本発明は上記実施の形態例に限られものではなく、例えば破砕機１、選別機３、混練機５等の構造等は適宜設計して変更されるものである。
【００２０】
【発明の効果】
本発明は上述の如く、請求項１記載の発明にあっては、廃ＦＲＰ船の解体品の中から選別されたＦＲＰ品及び発泡品は破砕機により破砕され、この破砕物から発泡品が吸引除去され、破砕物中のＦＲＰ品に油が添加され、ＦＲＰ品と油との混合物をセメント製造用燃料に用いることになり、このため、ＦＲＰ品に油が混合したことによりＦＲＰ粉塵の飛散がなくなり、燃料としての取り扱いが容易となり、かつ、油と混合したことにより燃料としての熱量を向上することができると共に混合割合の設定により熱量調節を行うことができ、セメント製造の作業性を高めることができる。
【００２１】
又、請求項２記載の発明にあっては、上記破砕機内粉塵及び上記破砕機で破砕された破砕物に含まれる粉塵を濾過すると共に濾過されたＦＲＰ品を上記混練機内に送入する集塵機を備えてなるから、の外方飛散を防ぐことができると共に粉塵中のＦＲＰ品を回収することができ、又、請求項３記載の発明にあっては、上記選別機から上記混練機に送られてくるＦＲＰ品の給送量に応じて上記油添加装置からの油の添加量を制御する制御部を備えてなるから、ＦＲＰ品と油との混合割合を一定に保持することができ、熱量を一定に保持することができ、使用の利便性を高めることができる。
【００２２】
又、請求項４記載の発明にあっては、上記混練機は上記ＦＲＰ品及び油の混合物を投入口部から排出口部へと混練移送するスクリュウ体を備えてなるから、ＦＲＰ品と油とを満遍なく良好に混合することができ、又、請求項５記載の発明にあっては、上記集塵機はバグフィルタからなるので、粉塵中からＦＲＰ品を良好に濾過回収することができる。
【００２３】
以上の如く、所期の目的を充分達成することができる。
【図面の簡単な説明】
【図１】本発明の実施の形態例の構成系統説明図である。
【図２】本発明の実施の形態例の構成系統ブロック図である。
【図３】本発明の実施の形態例の全体側面図である。
【図４】本発明の実施の形態例の全体平面図である。
【図５】本発明の実施の形態例の部分説明断面図である。
【符号の説明】
Ｗ  解体品
Ｆ  ＦＲＰ品
Ｈ  発泡品
Ｌ  混合物
１  破砕機
３  選別機
４  吸引装置
５  混練機
５ｂ  投入口部
５ｃ  排出口部
５ｄ  スクリュウ体
６  油添加装置
７  集塵機
【図１】
2004168820.tif 000003
【図２】
2004168820.tif 000004
【図３】
2004168820.tif 000005
【図４】
2004168820.tif 000006
【図５】
2004168820.tif 000007